(57)【特許請求の範囲】
【請求項１】
矩形形状の足場板の対向する短辺部にそれぞれ脚部を取付けた足場台と、
この足場台を、長辺部同士が対向するように複数並設したときに隣接する前記足場板間に介設されるブリッジ足場板と、を具備し、
前記足場台は、
前記脚部の両側部にそれぞれ上下方向に引き出し自在に取付けられた左右一組の手掛り棒と、前記左右一組の手掛り棒間に架設される踏み外し防止用の第１の横架バーと、を備え、
前記ブリッジ足場板は、
左右に位置する前記足場台のそれぞれの一方の手掛り棒間に架設可能とした第２の横架バーを備え、
前記足場台の足場板及び前記ブリッジ足場板の裏面それぞれに、前記横架バーを収納するバー収納部を設けたことを特徴とする作業台。
【請求項２】
前記足場台の足場板及び前記ブリッジ足場板は、それぞれ長手方向に伸縮自在に構成されていることを特徴とする請求項１に記載の足場台。
【請求項３】
前記足場台における前記足場板の長辺部を挟んで対向する手掛り棒間に、手摺を着脱自在に取付け、当該手摺と前記横架バーとにより、作業エリアを囲繞可能としたことを特徴とする請求項１又は２に記載の足場台。
【請求項４】
前記手摺をスライド自在に嵌装される内装部材と外装部材とから構成し、前記手掛り棒の引き出し動作に応じて伸縮可能に構成したことを特徴とする請求項３記載の作業台。
【請求項５】
前記足場台の少なくとも一方の脚部の両側部に、前記手掛り棒を取付姿勢調整自在に保持可能とした棒保持部を設けたことを特徴とする請求項１〜４のいずれか１項に記載の足場台。
【請求項６】
脚部が取付けられた矩形形状の足場板を備える足場台を、前記足場板の長辺同士が対向するように複数個並設した作業台において、前記足場台は、前記脚部の両側部にそれぞれ上下方向に引き出し自在に取付けられた左右一組の手掛り棒と、前記左右一組の手掛り棒間に架設される踏み外し防止用の横架バーとを備えており、隣接するこれら足場台間に介設可能とした作業台用ブリッジ足場板であって、
左右に位置する前記足場台のそれぞれの隣接する側の手掛り棒間に架設可能とした増設用横架バーを備え、しかも、裏面側には当該増設用横架バーを収納するバー収納部を形成したことを特徴とする作業台用ブリッジ足場板。
【請求項７】
長手方向に伸縮自在に構成したことを特徴とする請求項６記載の作業台用ブリッジ足場板。
【発明の詳細な説明】
【技術分野】
【０００１】
本発明は、作業台及び作業台用ブリッジ足場板に関し、詳しくは、手掛り棒付の作業台を複数台連結して構成可能とした作業台、及びこの作業台を構築する際に用いられる作業台用ブリッジ足場板に関する。
【背景技術】
【０００２】
従来、長方形状の天板に梯子状の主脚を折り畳み可能に設け、天板または主脚に手掛け部材を折り畳み可能に取付け、前記天板の長辺側及び／又は短辺側に着脱可能な手摺を設けた可搬式作業台があった（例えば、特許文献１を参照。）。
【０００３】
かかる作業台によれば、手摺が設けられているため作業の安全性が向上するとともに、かかる作業台を、前記天板の短辺又は長辺が対向するように複数個配置し、対向する作業台間に中間足場を介設することによって、作業台を幅方向又は長手方向に拡大して使用することが可能となる。
【０００４】
したがって、内外装工事の際の壁面作業などを、安全性を確保しながら広範囲に行うことが可能となる。
【先行技術文献】
【特許文献】
【０００５】
【特許文献１】特開２００１−１５２６５９号公報
【発明の概要】
【発明が解決しようとする課題】
【０００６】
しかしながら、上述の作業台は、手摺の収納に関しては何ら考慮がされておらず、可搬式であるにもかかわらず手摺などの搬送などが不便であった。また、作業台を連結した際に、作業領域の安全性を確保するために四方を手摺で確実に囲おうとしても、手摺が作業台と別体であると作業性が悪い。
【０００７】
また、ベースとなる作業台単体の大きさが定まっているため、作業台を幅方向又は長手方向に拡大するにしても、その広さの選択範囲が限定されていた。
【０００８】
本発明は上記問題を解決することのできる作業台を提供することを目的としている。
【課題を解決するための手段】
【０００９】
（１）本発明では、矩形形状の足場板の対向する短辺部にそれぞれ脚部を取付けた足場台と、この足場台を、長辺部同士が対向するように複数並設したときに隣接する前記足場板間に介設されるブリッジ足場板と、を具備し、前記足場台は、前記脚部の両側部にそれぞれ上下方向に引き出し自在に取付けられた左右一組の手掛り棒と、前記左右一組の手掛り棒間に架設される踏み外し防止用の第１の横架バーと、を備え、前記ブリッジ足場板は、左右に位置する前記足場台のそれぞれの一方の手掛り棒間に架設可能とした第２の横架バーを備え、前記足場台の足場板及び前記ブリッジ足場板の裏面それぞれに、前記横架バーを収納するバー収納部を設けた作業台とした。
【００１１】
（２）本発明では、上記（１）の足場台において、前記足場台の足場板及び前記ブリッジ足場板は、それぞれ長手方向に伸縮自在に構成されていることを特徴とする。
【００１２】
（３）本発明では、上記（１）又は（２）の足場台において、前記足場台における前記足場板の長辺部を挟んで対向する手掛り棒間に、手摺を着脱自在に取付け、当該手摺と前記横架バーとにより、作業エリアを囲繞可能としたことを特徴とする。
【００１３】
（４）本発明では、上記（３）の作業台において、前記手摺をスライド自在に嵌装される内装部材と外装部材とから構成し、前記手掛り棒の引き出し動作に応じて伸縮可能に構成したことを特徴とする。
【００１４】
（５）本発明では、上記（１）〜（４）のいずれかの足場台において、前記足場台の少なくとも一方の脚部の両側部に、前記手掛り棒を取付姿勢調整自在に保持可能とした棒保持部を設けたことを特徴とする。
【００１５】
（６）本発明では、脚部が取付けられた矩形形状の足場板を備える足場台を、前記足場板の長辺同士が対向するように複数個並設した作業台において、前記足場台は、前記脚部の両側部にそれぞれ上下方向に引き出し自在に取付けられた左右一組の手掛り棒と、前記左右一組の手掛り棒間に架設される踏み外し防止用の横架バーとを備えており、隣接するこれら足場台間に介設可能とした作業台用ブリッジ足場板であって、左右に位置する前記足場台のそれぞれの隣接する側の手掛り棒間に架設可能とした増設用横架バーを備え、しかも、裏面側には当該増設用横架バーを収納するバー収納部を形成したものとした。
【００１６】
（７）本発明では、上記（６）の作業台用ブリッジ足場板において、長手方向に伸縮自在に構成したことを特徴とする。
【発明の効果】
【００１７】
本発明によれば、足場台とブリッジ足場板とを組み合わせて作業エリアを拡大させた作業台を構築するときに、作業エリアの広さの選択自由度が高くなり、作業現場に合わせた最適な作業エリアの確保が可能となる。また、足場台の第１の横架バーとブリッジ足場板の第２の横架バーとにより、あたかも一本の連続する手摺が構成されるため、作業エリアが拡大しても安全性を保持することができる。
また、足場板の長辺部を挟んで対向する手掛り棒間に手摺を架設した場合、この手摺と横架バーとによって、作業エリアを拡大させた前記作業台でも作業エリアの四方を囲うことができるため、作業の安全性をより向上させることができる。
【００１８】
さらに、足場台の足場板及び作業台用ブリッジ足場板は、手摺ともなる横架バーを一体的に収納することができるため、横架バーを別途搬送する必要などがなく、取り扱いが楽である。
【図面の簡単な説明】
【００１９】
【図１】足場台とブリッジ足場板とからなる作業台の説明図である。
【図２】同作業台の側面図である。
【図３】同作業台の平面図である。
【図４】同作業台の足場台とブリッジ足場板との組み合わせを示す説明図である。
【図５】足場台における足場板の説明図である。
【図６】作業台を構成する足場台の側面図である。
【図７】同足場台の足場板を収縮させた状態を示す側面図である。
【図８】ブリッジ足場板の伸長させた状態を示す説明図である。
【図９】ブリッジ足場板の収縮させた状態を示す説明図である。
【図１０】足場板を収縮させた足場台とブリッジ足場板とからなる足場台の平面図である。
【図１１】横架バーの説明図である。
【図１２】同横架バーの連結部を示す説明図である。
【図１３】同横架バーと手掛り棒の連結状態を示す説明図である。
【図１４】手掛り棒と手摺との連結状態を示す説明図である。
【図１５】他の実施形態に係る足場台の説明図である。
【図１６】他の実施形態に係る足場台が具備する棒保持部の説明図である。
【発明を実施するための形態】
【００２０】
以下、本発明に係る作業台の一実施形態について、図面を参照しながら具体的に説明する。
【００２１】
本実施形態に係る作業台は、図１〜図４に示すように、所定の広さを有する矩形形状の足場板１を有する足場台Ａを、作業用ブリッジ足場板（以下、単に「ブリッジ足場板」とする場合もある）Ｂを介して所望する数だけ連結して、作業領域を任意に変更可能な構成としている。図１においては、３台の足場台Ａとブリッジ足場板Ｂを用いて、足場台Ａの作業領域に対して５倍の広さを確保可能としている。
【００２２】
ここで、作業台の基本構成となる足場台Ａ及びブリッジ足場板Ｂの構成についてそれぞれ具体的に説明する。
【００２３】
足場台Ａの単体の基本構成としては、図示するように、短辺側縁部１０と長辺側縁部１１とを有する矩形形状の足場板１と、この足場板１の対向する短辺部をなす短辺側縁部１０，１０に、それぞれ折畳・開脚自在に取付けられた脚部２，２と、これら脚部２，２の両側部に、上下方向に引き出し自在に取付けられた左右一組の手掛り棒４１，４１からなる手掛部４とを具備している。
【００２４】
すなわち、本実施形態に係る作業台を構成する足場台Ａは、足場板１の少なくとも一方の短辺側縁部１０が昇降口となるもので、作業者（足場台の使用者）は、脚部２，２を開脚した状態で脚部２を上り、地上から足場板１に移動して所望する作業を行うことができる。脚部２を上る際や降りる際には、作業者はいずれか一方、あるいは両方の手掛り棒４１を把持することによって、その昇降を容易に行うことができる。なお、手掛部４は、後述する手摺３の支持体ともなるため、本実施形態では、足場板１の短辺側縁部１０，１０の両方に手掛部４を設けている。
【００２５】
また、本実施形態に係る足場台Ａの足場板１及びブリッジ足場板Ｂは、図５〜図９に示すように、長手方向に伸縮自在に構成されている。なお、図５（ａ）は足場板１の側面図、図５（ｂ）は足場板１の底面図であるが、脚部２については省略している。
【００２６】
先ず、足場板１について説明する。図５〜図７に示すように、足場板１は、外側天板部１２とこれに摺動自在に遊嵌された内側天板部１３とからなり、内側天板部１３の側縁面に所定ピッチで形成した位置決孔15,15,15,15に、外側天板部１２の側縁面に設けたロック装置１４のロックピン１４ａを挿通することにより、所定長さに設定することができる。なお、図中、符号１４ｂはロックピン１４ａが突設されたロック摘み、符号２３は図示を省略した左右の脚部２，２を足場板１に対して開脚自在及び折畳自在に連結するための連結金具、符号２４は中央補強板、符号２５は補強用クロス材、符号２６は足場板構成用連結材を示す。また、符号１２ａは補強用クロス材２５に設けた取っ手であり、この取っ手１２ａを把持して外側天板部１２を容易にスライドさせることができる。
【００２７】
なお、左右の脚部２，２を足場板１に対して開脚自在及び折畳自在に連結するための上記連結金具２３は、足場板１の側面に取付けられた固定板と、脚柱２１の上端部に固着されている可動板と、両者を回転自在に連結する枢軸と、固定板及び可動板に形成された連結孔に挿通される連結ピンとから構成される周知構造のものである。
【００２８】
このように、足場板１は長手方向に伸縮自在に構成されているため、最長状態（図６）と最短状態（図７）との間で位置決孔の数の分だけ（ここでは５個）所定長さに設定することができる。
【００２９】
また、図６及び図７に示すように、左右の脚部２，２は、左右一対の脚柱２１，２１により略ハ字状となるように裾広がりの形状に形成されるとともに、それぞれ最大に開脚させたときに、足場板１から所定の角度で下り傾斜となって立脚するように構成されている。
【００３０】
また、本実施形態では、脚部２，２の開脚角度を、左右それぞれで異ならせた足場台Aとしている。すなわち、図６に示すように、右側の脚部２については、開脚角度が広い第１の開脚角度（例えば、１０７．５度：床面からの角度は７２．５度）に設定する一方、左側の脚部２は第２の開脚角度（例えば、１００度：床面からの角度は８０度）に設定して、左側をより起立した状態としている。
【００３１】
かかる構成により、例えば、壁塗り作業などを行う場合であって、壁と壁とで挟まれたコーナー近傍で作業する際には、より起立した状態の脚部（例えば左側の脚部２）を壁際に可及的に近接させれば、作業領域を壁の隅側にシフトさせることができ、作業効率を向上させることができる。なお、開脚角度については、適宜設定してよい。
【００３２】
また、このように、一方（ここでは左側）の脚部２を壁側に近接させて使用することを想定しているため、図６に示すように、右側の脚部２については、脚柱２１，２１間に複数の踏桟２２を所定間隔をあけて取付けて梯子状に構成して昇降可能とする一方（図１、図２を参照）、左側の脚部２については、ステップとして機能する踏桟２２は設けずに、適宜の補強体などを脚柱２１，２１間に取り付けた構成としている。しかし、当然ではあるが、左右の脚部２，２それぞれを踏桟２２を備えた梯子状に構成しても構わない。
【００３３】
また、脚柱２１は、下端部分が入れ子構造となっており、図示するように、所定長さだけ伸長自在に構成されている。図中、符号GLは接地面を示している。また、符号４０で示したものは、足場板１の両端側と左右の各脚柱２１の最上段の踏桟２２との間に所定間隔をあけて配設した左右一組の開き止め金具であり、この開き止め金具４０，４０により、足場板１を安定した状態で保持することができる。
【００３４】
また、足場台Ａは、手掛り棒４１を脚柱２１に沿って摺動自在とするとともに、上方へ摺動して引きだした位置及び下方へ摺動して収納した位置で保持する棒保持部９を備えている。すなわち、断面視ハット状に形成するとともに、引き上げ位置及び収納位置でロック可能なロックピンとロック孔などからなる周知の保持機構を備えた棒保持部９を、左右の脚柱２１，２１それぞれの外側面に取付けている。
【００３５】
また、足場台Ａは、手掛部４を構成する短辺側の一対の手掛り棒４１，４１間に横架バー５が設けられるとともに、足場板１の長辺側縁部１１を挟んで対向する手掛り棒４１，４１の各上端間には手摺３を着脱自在に取付けている。
【００３６】
手摺３は、足場板１の対向する長辺側縁部１１，１１に沿って、互いに対向状態に２本１組で設けられるとともに、スライド自在に嵌装される内装部材３ａと外装部材３ｂとからなる二重構造となっている。本実施形態では、かかる手摺３を、足場板１の長辺側縁部１１を挟んで対向する手掛り棒４１，４１の上端間に取付けている。その取付構造については後述する。
【００３７】
上記構成の足場台Ａは、脚部２の両側部にそれぞれ上下方向に引き出し自在に取付けられた左右一組の手掛り棒４１，４１に加え、これら左右一組の手掛り棒間に架設される踏み外し防止用の第１の横架バーとして足場台用横架バー５１を備えている。
【００３８】
しかも、図５に示すように、足場板１の裏側に、足場台用横架バー５１を収納するためのバー収納部５３を設けている。したがって、足場台用横架バー５１をバー収納部５３に収納しておけば、例えば足場台Ａを搬送する場合に足場台用横架バー５１を別途搬送する必要がない。
【００３９】
なお、本実施形態におけるバー収納部５３は、内側天板部１３の中央補強板２４とこれを挟むように設けられた足場板構成用連結材２６，２６の間に形成された凹部により形成されている。
【００４０】
次に、ブリッジ足場板Ｂについて説明する。図８はブリッジ足場板Ｂの伸長させた状態を示す説明図、図９は同収縮させた状態を示す説明図である。本実施形態に係るブリッジ足場板Ｂは、基本的には足場板１から脚部２を取り除くとともに、四隅近傍の側縁面に、連結片７を外方に向けて突設した構成となっており、図示するように、足場板１と同様に長手方向に伸縮自在な構成となっている。
【００４１】
すなわち、ブリッジ足場板Ｂは、外側板部１６と、これに摺動自在に遊嵌された内側板部１７とからなり、内側板部１７の側縁面に所定ピッチで形成した位置決孔1８,1８,1８,1８に、外側板部１６の側縁面に設けたロック装置１９のロックピン１９ａを挿通することにより所定長さに設定することができる。なお、図中、符号１９ｂはロックピン１９ａが突設されたロック摘みを示す。また、符号２０は内側板部１７の端部と当接するストッパ、符号７１は連結片７の連結ピンを示す。また、符号２７は中央補強板、符号２８は補強用クロス材、符号２９は足場板構成用連結材を示す。
【００４２】
また、上記ブリッジ足場板Ｂは、足場台Ａの足場板１に設けられた手掛り棒４１，４１間に架設可能とした第２の横架バーである増設用横架バー５２を備えている。しかも、図８及び図９に示すように、ブリッジ足場板Ｂの裏側に、増設用横架バー５２を収納するためのバー収納部５４を設けている。したがって、増設用横架バー５２をバー収納部５４に収納しておけば、例えば、ブリッジ足場台Ｂを搬送する場合に増設用横架バー５２を別途搬送する必要がない。
【００４３】
なお、本実施形態におけるバー収納部５４は、内側板部１７の中央補強板２７とこれを挟むように設けられた足場板構成用連結材２９，２９の間に形成された凹部により形成されている。
【００４４】
このように、足場台A及びブリッジ足場板Bは長手方向に伸縮自在に構成されているため、同じ数だけ連結したとしても、足場板１及びブリッジ足場板Bを伸長状態にすれば、図３に示したように極めて広い面積の作業領域を有する作業台を構成することができる一方、収縮状態にすれば、図１０に示すように、収縮させた分だけ面積が狭い作業領域の作業台を構成することができる。
【００４５】
なお、図３及び図１０に示すように、足場台Aの足場板１及びブリッジ足場板Ｂの表面には、多数の滑り止め孔がバーリング加工により形成されている。また、当然ではあるが、足場台Aは、単体であっても複数の作業者が同時に乗っても十分に耐えうる強度を有しており、また、足場台Ａ，Ａ間に介設したブリッジ足場板Ｂも同様な強度を有するものとしているため、図１〜図３に示すように、３台の足場台Ａと２台のブリッジ足場板Ｂを連結して作業領域を拡大した場合、少なくとも１０人以上の作業者の荷重に耐えうるようになっている。
【００４６】
ところで、上述してきた足場台Ａを、ブリッジ足場板Ｂを介して連結して作業領域を拡大した作業台を構築する場合は、以下の手順による。
【００４７】
すなわち、図４に示すように、複数の足場台Ａを、長辺部同士が対向するように幅方向に所定間隔をあけて並べる。次いで、隣接する足場台Ａの足場板１，１の間にブリッジ足場板Ｂを配設する。このとき、ブリッジ足場板Ｂの連結片７の連結ピン７１を足場板１の所定個所に設けられたピン受孔（図示せず）に挿通することにより、足場台Ａ，Ａは、ブリッジ足場板Ｂを介してしっかりと連結されることになる。
【００４８】
そして、足場台Ａの手掛り棒４１，４１を引き出し、足場台Ａの左右一組の手掛り棒４１，４１間に足場台用横架バー５１を架設するとともに、隣り合う足場台Ａ，Ａで対向する手掛り棒４１，４１の間には、ブリッジ足場板Ｂが備える増設用横架バー５２を架設する。このとき、手摺３を後からセットする場合は、続いて足場台Ａの長辺部上に位置するように、足場板１の長辺側縁部１１を挟んで対向する手掛り棒４１，４１の上端間には手摺３をセットする。
【００４９】
他方、足場板１の長辺側縁部１１を挟んで対向する手掛り棒４１，４１の上端間に、予め手摺３が取付けられている場合は、手掛り棒４１，４１を引き出し動作に連動して手摺３がセットされるため、作業エリアを仕切ることになってしまう不要な手摺３については取り外すことになる。
【００５０】
手摺３と手掛り棒４１との連結は、本実施形態では以下のように行う。すなわち、図１４に示すように、手掛り棒４１の上端内部にはコイルスプリング６１により外方へ付勢されて突出するピン体６２が配設され、手摺３の本体両端部には手掛り棒４１の上端と嵌合可能なキャップ体４５，４５が設けられている。そして、キャップ体４５にはピン孔４６が形成されており、キャップ体４５を手掛り棒４１に被せてピン孔４６にピン体６２を挿通させると、手摺３と手掛り棒４１とが連結される。このように、手摺３と手掛り棒４１との連結は極めて簡単に行うことができる。
【００５１】
かかる手摺３と、足場台用横架バー５１と増設用横架バー５２とが交互に位置するように連続した疑似手摺とにより、作業領域の四方が囲繞された作業台が完成する（図１参照。）。なお、手掛り棒４１を引き出すタイミングとしては、足場台Ａを並べる前であっても構わない。
【００５２】
ここで、図１１〜図１４を参照しながら、足場台用横架バー５１及び増設用横架バー５２について説明する。なお、足場台用横架バー５１及び増設用横架バー５２は同一構成であるため、以下の説明では、両者を表す意味で横架バー５と表記する。
【００５３】
図１１（ａ）の側面図、図１１（ｂ）の平面図に示すように、横架バー５は略矩形筒状に形成され、互いに遊嵌状態で摺動自在とするとともに、それぞれ先端側に手掛り棒連結片５５が設けられた内側バー体５ａと外側バー体５ｂとから構成されている。
【００５４】
内側バー体５ａの基端側には外側バー連結ピン５６ａとこれを付勢する板バネ５６ｂを具備する連結具５６が設けられる一方（図１１（Ｃ）参照）、この内側バー体５ａを外嵌する外側バー体５ｂには、基端には外側バー連結ピン５６ａに対応する複数の連結孔５７が穿設されている。
【００５５】
このように、横架バー５は、内側バー体５ａと外側バー体５ｂとを相対的に摺動可能な伸縮自在とした構成であり、外側バー連結ピン５６ａを複数の連結孔５７のいずれか選択的に挿通することで、所定長さに規定することができる。
【００５６】
また、図１２に示すように、横架バー５は、内側バー体５ａと外側バー体５ｂとの先端にそれぞれ設けた手掛り棒連結片５５内に連結機構５８を配設して、手掛り棒４１との連結部が構成されている。
【００５７】
図示するように、手掛り棒連結片５５は、断面視略コ字状とした略チャンネル状に形成されており、一側の側壁から底壁にかけては、連結突起６３を挿通する切欠部５５ａが形成されている。そして、この手掛り棒連結片５５は、リベット５ｃを介して横架バー５に取付けられている。なお、連結突起６３は、手掛り棒４１とブリッジ足場板Ｂに設けたバー収納部５３，５４に設けられている。手掛り棒４１においては、その上端近傍であって、手摺３のキャップ体４５を手掛り棒４１に被せたときに邪魔にならない位置に突設されている。
【００５８】
また、手掛り棒連結片５５の内部に設けられた連結機構５８は、手掛り棒連結片５５の底壁に突設した枢軸５９ａを介して基端を枢支され、先端側に、前記切欠部５５ａと対向するようにフック部５９ｂが形成されるとともに、このフック部５９ｂと基端との間に摘み部５９ｃが突出形成された係合片５９と、枢軸５９ａに巻回され、一端が手掛り棒連結片５５の側壁に当接し、他端が係合片５９の摘み部５９ｃの背面に当接して、係合片５９を係合方向に付勢するねじりバネ６０とを備えて構成されている。
【００５９】
かかる構成により、図１３に示すように、横架バー５は、手掛り棒４１に対して、手掛り棒連結片５５の切欠部５５ａから連結突起６３を通せば、係合片５９のフック部５９ｂの円弧上外面に連結突起６３が当接し、係合片５９をねじりバネ６０に抗して反時計回りに回動させるとともに、当接状態を通過すると、ねじりバネ６０の付勢力によって時計回りに係合片５９が回転してフック部５９ｂが連結突起６３に係合する。横架バー５を手掛り棒４１から外す場合は、摘み部５９ｃに指を掛けて反時計回りに回動させ、係合状態を解いて切欠部５５ａから連結突起６３を抜けばよい。
【００６０】
なお、図５、図８及び図９に示すように、足場台Ａの足場板１の裏面側及びブリッジ足場板Ｂの裏面側に形成したバー収納部５３，５４には、前述した連結突起６３が所定位置に設けられており、横架バー５は連結機構５８を介して連結突起６３にしっかりと連結保持されるため、足場板１やブリッジ足場板Ｂから脱落することがない。
【００６１】
上述してきたように、本実施形態に係る足場台Ａとブリッジ足場板Ｂを用いれば、作業現場に合わせて、必要な広さの作業領域を有する作業台を簡単に構築することができ、しかも、作業領域の四方を手摺によって囲繞することができるため、作業台からの踏み外しなどによる転落事故などを未然に防止することができる。
【００６２】
ところで、上述してきた例では、手掛り棒４１の保持する棒保持部９は脚柱２１に固定したものとしたが、他の実施形態として、図１５に示すように、手掛り棒４１の取付姿勢を角度調整可能とした可動式の棒保持部８を設けた構成とすることもできる。
【００６３】
例えば、棒保持部８により保持された手掛り棒４１の姿勢を、脚部２の脚柱２１に沿って足場板１に対して斜め方向に突出する傾斜姿勢（図１５における仮想線を参照）と、足場板１に対して略垂直方向に突出する直立姿勢（図１５における実線を参照）とに選択的に切り替えることができるようにするのである。
【００６４】
なお、取付姿勢については、ここでは傾斜姿勢と直立姿勢とのいずれかからの二者択一としているが、複数段の姿勢を選択可能とすることもできるし、起立姿勢から任意の傾斜姿勢まで無段階に姿勢調整することも可能である。
【００６５】
ここで、図１５及び図１６を参照して、手掛り棒４１の取付姿勢を角度調整可能とした可動式の棒保持部８について説明する。図１６に示すように、足場台Ａの棒保持部８は、実質的には、足場板１に取付けられた脚部２の両側の脚柱２１に取付けられ、手掛り棒４１を摺動自在に保持するとともに、所定位置で固定可能とした足場台用手掛り棒保持金具（以下、「保持金具」ともいう）８０からなる。
【００６６】
保持金具８０は、脚部２の左右一対の脚柱２１，２１の外側面に固着されるベース金具８１と、このベース金具８１の表面上部に、枢軸８２を中心に回動自在に取付けられた棒受金具８３とを備えている。
【００６７】
棒受金具８３は、手掛り棒４１を摺動自在に保持可能であり、かつ所定位置（少なくとも１個所の突出位置と収納位置）で固定可能とした固定具８４を設けた鞘部８５と、この鞘部８５の下方に位置し、棒受金具８３を所定回動位置で固定する位置決め部９１と、当該棒受金具８３の回動動作を案内する回動ガイド部９２とを備えている。
【００６８】
固定具８４は、図１６に示すように、つまみ部８４ａに突設した係合ピン８４ｂと、この係合ピン８４ｂを手掛り棒４１側に付勢するバネ８４ｃとから構成されており、手掛り棒４１の上端及び下端近傍に形成した係止孔（不図示）に係合ピン８４ｂを係合することで手掛り棒４１の位置を固定することができる。
【００６９】
位置決め部９１は、手掛り棒４１を傾斜姿勢に位置決めする第１の位置決め孔９１ａと、起立姿勢に位置決めする第２の位置決め孔９１ｂとからなる構成としている。また、第１の位置決め孔９１ａと第２の位置決め孔９１ｂは枢軸８２を中心とする仮想円弧上に配置されている。また、回動ガイド部９２は弧状長孔により形成されており、これも実質的には枢軸８２を中心とする仮想円弧上に形成されている。
【００７０】
この回動ガイド部９２内からボルト９３を挿通してベース金具８１に形成したボルト孔に挿通してナットなどで螺合することにより、棒受金具８３を枢軸８２周りに回動させたときに、棒受金具８３はベース金具８１から浮くことなく円滑に回動する。
【００７１】
ベース金具８１は、脚柱２１を抱持可能となるように、一側の上下と他側の略上半部に折曲部８１ａ，８１ｂ，８１ｃを形成するともに、折曲部８１ｃ一側下部に形成した折曲部８１ｂと対向する他側の略下半部を外方に張り出してロック具取付部８１ｄを形成している。
【００７２】
ベース金具８１の上端中央近傍には枢軸８２となる軸体を挿入するベース側枢支孔が形成されており、この枢支孔に枢軸８２を挿通し、棒受金具８３がこの枢軸８２を中心として回動自在に連結されている。
【００７３】
また、ベース金具８１のロック具取付部８１ｄには、位置決め部９１の第１の位置決め孔９１ａと第２の位置決め孔９１ｂとのいずれかに選択的に挿通されるロックピンを備えるロック具８７が取付けられている。
【００７４】
棒受金具８３は、下部に形成された広幅部から上方へ細幅部を伸延形成するとともに、細幅部には下端側一部を広幅部と重なるように鞘部８５を設けている。
【００７５】
この鞘部８５は矩形筒状に形成されており、手掛り棒４１を摺動自在に挿通可能としている。
【００７６】
一方、棒受金具８３の広幅部には、その下端近傍に前述の弧状長孔からなる回動ガイド部９２と、この回動ガイド部９２よりも上側に所定間隔をあけて第１の位置決め孔９１ａと第２の位置決め孔９１ｂとが形成される。
【００７７】
上述してきた実施形態より、以下の作業台及び作業台用ブリッジ足場板が実現される。
【００７８】
すなわち、矩形形状の足場板１の対向する短辺部にそれぞれ脚部２を取付けた足場台Ａと、この足場台Ａを、長辺部同士が対向するように複数並設したときに隣接する足場板１，１間に介設される作業台用ブリッジ足場板Ｂと、を具備し、前記足場台Ａは、前記脚部２の両側部にそれぞれ上下方向に引き出し自在に取付けられた左右一組の手掛り棒４１，４1と、前記左右一組の手掛り棒４１，４１間に架設される踏み外し防止用の足場台用横架バー（第１の横架バー）５１と、を備え、前記作業台用ブリッジ足場板Ｂは、左右に位置する前記足場台Ａのそれぞれの一方の手掛り棒４１，４１間に架設可能としたブリッジ用横架バー（第２の横架バー）５２を備える作業台。
【００７９】
上記構成において、前記足場台Ａの足場板１及び前記ブリッジ足場板Ｂの裏面それぞれに、前記横架バー５１，５２を収納するバー収納部５３，５４を設けた作業台。
【００８０】
上記構成において、前記足場台Ａの足場板１及び前記ブリッジ足場板Ｂは、それぞれ長手方向に伸縮自在に構成されている作業台。
【００８１】
上記構成において、前記足場台Ａにおける前記足場板１の長辺部を挟んで対向する手掛り棒４１，４１間に、手摺３を着脱自在に取付け、当該手摺３と前記足場台用横架バー５１及び増設用横架バー５２（横架バー）とにより、作業エリアを囲繞可能とした作業台。
【００８２】
上記構成において、前記手摺３をスライド自在に嵌装される内装部材３ａと外装部材３ｂとから構成し、前記手掛り棒４１の引き出し動作に応じて伸縮可能に構成した作業台。
【００８３】
上記構成の足場台Ａにおいて、前記足場台Ａの少なくとも一方の脚部２の両側部に、前記手掛り棒４１を取付姿勢調整自在に保持可能とした棒保持部８を設けた作業台。
【００８４】
脚部２が取付けられた矩形形状の足場板１を備える足場台Ａを、前記足場板１の長辺同士が対向するように複数個並設した作業台において、前記足場台Ａは、前記脚部２の両側部にそれぞれ上下方向に引き出し自在に取付けられた左右一組の手掛り棒４１，４１と、前記左右一組の手掛り棒４１，４１間に架設される踏み外し防止用の足場台用横架バー５１とを備えており、隣接するこれら足場台Ａ，Ａ間に介設可能とした作業台用ブリッジ足場板Ｂであって、左右に位置する前記足場台Ａ，Ａのそれぞれの隣接する側の手掛り棒４１，４１間に架設可能とした増設用横架バー５２を備え、しかも、裏面側には当該増設用横架バー５２を収納するバー収納部５４を形成した作業台用ブリッジ用足場板Ｂ。
【００８５】
上記構成において、長手方向に伸縮自在に構成した作業台用ブリッジ足場板Ｂ。
【００８６】
以上、本発明の実施形態を図面に基づいて詳細に説明したが、これらはあくまでも例示であって、当業者の知識に基づいて種々の変形、改良を施した他の形態で本発明を実施することが可能である。本実施形態では、主要材料をアルミニウムやアルミ合金としているが、適宜材料は変更しても構わない。
【符号の説明】
【００８７】
Ａ    足場台
Ｂ    作業台用ブリッジ足場板
１    足場板
２    脚部
３    手摺
３ａ    内装部材
３ｂ    外装部材
４    手掛部
５    横架バー
８，９    棒保持部
２１    脚柱
４１    手掛り棒
５３，５４    バー収納部
【図１】
0005694750.tif 000002
【図２】
0005694750.tif 000003
【図３】
0005694750.tif 000004
【図４】
0005694750.tif 000005
【図５】
0005694750.tif 000006
【図６】
0005694750.tif 000007
【図７】
0005694750.tif 000008
【図８】
0005694750.tif 000009
【図９】
0005694750.tif 000010
【図１０】
0005694750.tif 000011
【図１１】
0005694750.tif 000012
【図１２】
0005694750.tif 000013
【図１３】
0005694750.tif 000014
【図１４】
0005694750.tif 000015
【図１５】
0005694750.tif 000016
【図１６】
0005694750.tif 000017